(57)【要約】【課題】部品点数が少なく、簡単にハンドピースおよびインプラント間に装着され、インプラントを植込む際の植込みトルクを確実にインプラントに伝達させることができる、インプラント植込み用治具を提供する。【解決手段】インプラント植込み用治具１０は、軸方向を有する治具本体１２と、治具本体１２の軸方向の一方側に配置され、インプラント３０の被係合部３６に係合される係合部３６と、治具本体１２の軸方向の他方側に配置され、その装着部１４ａが歯科用のハンドピース１００の回動軸ヘッド１００Ａのチャック部に装着される装着軸部１４とを含む。係合部１８は、治具本体１２の軸方向の一端部から軸方向に所定の長さで延設された突出部２０と、突出部２０の外周面に設けられ、当該外周面は所定の多角形状の輪郭線に類似する多曲面で形成された係合凸部２２を有する。【選択図】図１
2010051708.tif 000002
【特許請求の範囲】
【請求項１】
歯科用のハンドピースを用いて、歯が抜けた部分の歯槽骨に設けられた植込み用穴に、歯科用のインプラントを植込むためのインプラント植込み用治具であって、
軸方向を有する治具本体、
前記治具本体の軸方向の一方側に配置され、その先端部が前記ハンドピースの回動軸ヘッドの装着部に装着される装着軸部、および
前記治具本体の軸方向のもう一方側に配置され、前記インプラントの被係合部に係合される係合部を含み、
前記係合部は、
前記治具本体の軸方向の一端部から軸方向に所定の長さで延設された突出部、および
前記突出部の外周面に設けられ、所定の多角形状の輪郭線に類似する多曲面で形成された輪郭を有する係合凸部を含み、
前記インプラントの前記被係合部は、前記係合凸部に対応する輪郭を備え、
前記係合凸部と前記インプラントの前記被係合部とが係合されることを特徴とする、インプラント植込み用治具。
【請求項２】
前記係合凸部は、前記突出部の軸方向に沿って延び設けられ、且つ、前記突出部の周方向に所定の角度をもって略均等に設けられた３個以上の凸状曲面部、および
前記３個以上の凸状曲面部間に設けられ、且つ、前記突出部の軸方向に沿って延び設けられる３個以上の凹状曲面部を含み、
隣接する前記凸状曲面部と前記凹状曲面部とは、前記突出部の軸方向と直交する切断面で見て滑らかに連接された連続曲線となっていることを特徴とする、請求項１に記載のインプラント植込み用治具。
【請求項３】
前記治具本体および前記突出部間に配置され、前記インプラントが植込まれる前記植込み用穴の外形よりも大きい径を有する規制部をさらに含み、
前記規制部は、前記ハンドピースを用いて前記インプラントを前記植込み用穴に植込む際に、前記植込み用穴の深さよりも必要以上に前記インプラントが植込まれないように、前記突出部の軸方向の動きを規制することを特徴とする、請求項１または請求項２に記載のインプラント植込み用治具。
【請求項４】
前記規制部が着色されていることを特徴とする、請求項３に記載のインプラント植込み用治具。
【請求項５】
請求項１〜請求項４のいずれかに記載の前記インプラント植込み用治具に取付けられ、前記ハンドピースを用いて、歯が抜けた部分の歯槽骨に設けられた植込み用穴に植込まれる前記インプラントであって、
軸方向を有するインプラント本体軸部、および
前記インプラント本体軸部の軸方向の一端部に設けられ、前記治具本体の前記係合凸部と係合される被係合部を含み、
前記被係合部は、
前記インプラント本体軸部の軸方向の一端部から軸方向に所定の長さで延設された筒状の延設部、および
前記延設部の内周面に設けられ、所定の多角形状の輪郭線に類似する多曲面で形成された輪郭を有する係合凹部を含み、
前記係合凹部が前記治具本体の前記係合凸部と係合されることを特徴とする、インプラント。
【発明の詳細な説明】
【技術分野】
【０００１】
本願発明は、歯科インプラント治療をするときに用いられるインプラント植込み用治具に関し、特に、たとえば歯が抜けた部分の歯槽骨に植込み用穴を設けて、当該植込み用穴に人工の歯根（所謂、歯科用インプラント）を植込むときに用いられる、インプラント植込み用治具に関する。
【背景技術】
【０００２】
歯科インプラント治療をする際に用いられ、本願発明の背景となる従来技術としては、例えば、欠如歯部の顎骨内に形成された埋入孔内に固定されたインプラントフィクスチャーに、中間ボルトを介して、アバットメントを固定するようにした、歯科インプラントのアバットメント固定具があった（例えば、特許文献１参照）。
このアバットメント固定具は、中央長手方向に穿設されている貫通穴に中間ボルト保持用ネジ棒のオネジ部を挿入されている中間ボルト連結用部材の一端に固定された中間ボルト回転操作体とコイルスプリング保持体との間にコイルスプリングが装着されている第１連結部材と、一端にアバットメントの最大外径部を保持するスリット付保持部が設けられているアバットメント保持部材の貫通穴に、中間ボルトの角筒部が嵌合された中間ボルト連結用部材が摺動可能な貫通穴の一端にアバットメントの角筒状部が嵌合するアバットメント嵌合部が設けられ他端に把持部が突設されているアバットメント係合用部材が挿入されて固定されている第２連結部材とで構成されている。
しかし、このアバットメント固定具では、部品点数が多く、インプラントフィクスチャーにアバットメントを固定する際には、当該アバットメント固定具を手動で操作するものとなっており、取扱い方法自体も複雑なものとなっていた。
【０００３】
また、本願発明の背景となる他の従来技術には、頭部および雄ねじ部が形成されたシャフトを有するねじ部材と、シャフトが貫通され、頭部と骨内インプラントとの間に挟持される円筒部材とを備え、頭部からトルクを入力し、そのトルクを頭部と円筒部材との接触面から円筒部材に伝達し、さらに円筒部材と骨内インプラントとの接触面から骨内インプラントにトルクを伝達する構造の骨内インプラント埋植用器具があった（例えば、特許文献２参照）。
この骨内インプラント埋植用器具を用いて骨内インプラントを埋植する手順としては、先ず、円筒部材の雌ねじ部にねじ部材の雄ねじ部を螺合させ、雄ねじ部が完全に雌ねじ部を通り抜けるまで雄ねじ部をねじ込む。次に、円筒部材とねじ部材を一体のまま、ねじ部材の先端部位を骨内インプラントのねじ孔に落とし込む。そして、円筒部材の嵌合孔を骨内インプラントの上部構造体嵌合部に嵌合させる。さらに、手指でねじ部材の頭部を回転させ、ねじ部材の雄ねじ部を骨内インプラントのねじ孔に螺合させる。このようにして埋植用器具と骨内インプラントとを一体に組み上げた後、ねじ部材の頭部に埋植用ハンドルを嵌合する。それから、顎骨に予め穿孔した埋植孔に骨内インプラントを挿入し、手指で埋植用ハンドルを回して骨内インプラントの埋植が行なわれる。
ところが、このような骨内インプラント埋植用器具では、部品点数が多く、取扱いも手動操作であるため、操作手順に手間の掛かるもとなっていた。
【０００４】
さらに、本願発明の背景となる他の従来技術には、歯科用ハンドピースのヘッド部に装着されて使用され、歯科インプラント用フィクスチャーを埋入する穴を顎骨に穿孔するための穿孔用ドリルの延長をドライバー等の工具を使用せずに行うことができ且つ内部注水機能を具備する歯科インプラント用ドリル延長用器具が開示されている（例えば、特許文献３参照）。
この歯科インプラント用ドリル延長用器具は、先端側がその中央軸に沿って穿設された円筒状穴を有し、延長用ドリルのシャンク部が挿入されるドリル装着部を含み、円筒穴のシャンク部側奥部には、延長用ドリルのシャンク部の末端部側面に形成された平面部が当接して回転が伝達される平面状突起部が配設されると共に、円筒状穴の一部を延長用ドリルのシャンク部と当接するように当該延長用器具のシャンク部側が狭くなるテーパ形状に形成されている。当該延長用器具のシャンク部は、その末端の中央から円筒状穴に貫通する中央貫通穴が穿設され、中央貫通穴の一部に内部注水ノズル先端部と嵌合するパッキンが装着されている。
しかし、この歯科インプラント用ドリル延長用器具は、あくまでも、穿孔用ドリルの延長を行うための治具であるため、歯槽骨に設けられた植込み用穴に人工の歯科インプラントを植込むときの歯科インプラント植込み用治具としては用いることができない。
【０００５】
また、本願発明の背景となる他の従来技術には、歯科用ハンドピースのヘッド部に装着されて使用され、インプラントフィクスチャーに中間ボルトを介してアバットメントを固定するための歯科インプラント用治具があった（例えば、特許文献４参照）。
この歯科インプラント用治具は、歯科用ハンドピースに装着される下端に中間ボルトの角筒部に係合される凹状角筒係合部を有するシャフトに螺合されたばね保持部材と該シャフトに摺動及び回転自在に外装されたスリーブとの間に圧縮コイルばねが装着された駆動部材と、該ハンドピースのネック部に回転軸とピンが平行を成して保持されるハンドピースアダプタと、シャフトの下部が摺動状態で貫通可能で下端にアバットメントの角筒状部に係合するアバットメント係合部が設けられ上端に該ピンに当接する把持部が突設されているアバットメント係合用部材にビスにより一体に固定されて下端にアバットメントを保持する保持部が設けられているアバットメント保持部材より成る連結部材とで構成されている。
ところが、この歯科インプラント用治具は、歯科用ハンドピースの回転駆動力によって、インプラントフィクスチャーの口腔内側部分にアバットメントを固定することができるものの、部品点数が多いため、当該歯科インプラント用治具を歯科用ハンドピースに装着する際には手間が掛かるものであった。そして、この歯科インプラント用治具は、上記した特許文献３に係る歯科インプラント用ドリル延長用器具と同様、歯科インプラント植込み用治具としては用いることができない。
【０００６】
さらに、本願発明の背景となる他の従来技術には、歯科インプラント用モーターを使用して、欠如歯部の顎骨内に形成された埋入孔内に、スクリュー型インプラントフィクスチャーを埋入するための歯科インプラント埋入用治具があった（例えば、特許文献５参照）。
この歯科インプラント埋入用治具は、スクリュー型インプラントフィクスチャーの口腔内側に設けられた多角形凸部に係合する多角形凹部が形成された筒状部と、筒状部の多角形凹部と反対側に設けられた多角形状凸部と、多角形状凸部の口腔内側に設けられていて外径が多角形状凸部の対辺距離以下となる断面半円形の突起部が端部に設けられた円筒状部とを有し、その全長に亘って貫通穴が形成されている中間治具と、中間治具の貫通穴とスクリュー型インプラントフィクスチャーの口腔内側に設けられた多角形凸部とを貫通してスクリュー型インプラントフィクスチャーの長軸に沿って螺設された雌ねじ部に雄ねじ部を螺合されて中間治具をスクリュー型インプラントフィクスチャーに固定する頭部が中間治具の突起部より小さな中間治具固定ねじと、一端部に中間治具の多角形状凸部に係合する多角形状凹部と多角形状凹部の奥部に多角形状凹部の対辺より大きな径の円筒状空間部とを有し、他端部に歯科用モーターに装着可能な把持柄部を有する埋入治具本体と、内面に中間治具の突起部に沿う凹部を有する円筒形でその軸方向に並行なすり割り溝を有し、すり割り溝の端面の直径が該埋入治具本体の多角形状凹部の対辺距離より大きく、すり割り溝の設けられていない端部が埋入治具本体の多角形状凹部の対辺距離より小さな直径を有していて当該端部が円筒状空間部の奥部に位置するように埋入治具本体の円筒状空間部内に挿入されている中間治具保持用カラーとで構成されている。
しかし、この歯科インプラント埋入用治具では、歯科インプラント用モーターを使用して、欠如歯部の顎骨内に形成された埋入孔内に、スクリュー型インプラントフィクスチャーを埋入することができるものの、埋入治具本体に、中間治具、中間治具固定ねじ、中間治具保持用カラー等を用いてスクリュー型インプラントフィクスチャーを埋入する必要があるため、部品点数が多く、その取扱いにも手間の掛かるものであった。
【０００７】
さらに、本願発明の背景となる他の従来技術には、スクリュー型インプラントフィクスチャーの口腔内側に位置する部分に設けられた多角形凸部に係合する多角形凹部の角部に相当する部分に総て凹状除去部が配設され、当該スクリュー型インプラントフィクスチャーを欠如歯部の顎骨内に形成された埋入孔内に埋入させるための歯科インプラント埋入用治具があった（例えば、特許文献６参照）。
この歯科インプラント埋入用治具を用いて、スクリュー型インプラントフィクスチャーを顎骨内に設けられた埋入孔内に埋入する際には、歯科インプラント埋入用治具の把持柄部である角柱状部をスパナで把持して手動で回転させるか、あるいは、当該把持柄部を歯科インプラント用モーターに把持させて回転させるかによって、当該スクリュー型インプラントフィクスチャーが埋入孔内に埋入される。
この歯科インプラント埋入用治具では、歯科インプラント用モーターを使用して、欠如歯部の顎骨内に形成された埋入孔内に、スクリュー型インプラントフィクスチャーを埋入することができ、前述した例えば特許文献５に係る従来技術に比べて、部品点数が少ない構成となっている。
また、この歯科インプラント埋入用治具では、当該特許文献６の図１，図２，図４等に示すように、スクリュー型インプラントフィクスチャー１の口腔内側に設けられた多角形凸部１ｃに係合する多角形凹部Ａがその角部に相当する部分に総て凹状除去部Ｂが形成されているため、スクリュー型インプラントフィクスチャー１の口腔内側に位置する部分に形成されている多角形凸部１ｃと、歯科インプラント埋入治具２の多角形凹部Ａとは、スクリュー型インプラントフィクスチャー１の口腔内側に位置する部分に形成されている多角形凸部１ｃのスクリュー型インプラントフィクスチャーの中心軸と平行な多角形の平面部同士が接触した状態になって初めて回転トルクが伝達されるとしている。
すなわち、この従来技術では、歯科インプラント埋入治具２が回転し始めたときにはスクリュー型インプラントフィクスチャー１の口腔内側に位置する部分に形成されている多角形凸部１ｃの角部には回転トルクが伝達されないので、スクリュー型インプラントフィクスチャー１の口腔内側に位置する部分に形成されている多角形凸部１ｃの角部が損傷・変形することがないとしている。
【０００８】
【特許文献１】特許第３５７１０６６号公報（図１，図２，図７等参照。）
【特許文献２】特開平８−２１５２１８号公報（図１，図５等参照。）
【特許文献３】特開２００２−１４３１８０号公報（図１，図２，図５等参照。）
【特許文献４】特開平９−２３８９５６号公報（図２−図８等参照。）
【特許文献５】特許第４１０８２１７号公報（図１，図４，図７等参照。）
【特許文献６】特開２００１−２９９７７７号公報（図１，図３，図１１等参照。）
【発明の開示】
【発明が解決しようとする課題】
【０００９】
しかしながら、この歯科インプラント埋入用治具２では、部品点数が少ない構成で、歯科インプラント用モーターにより、スクリュー型インプラントフィクスチャー１を埋入孔内に埋入することができるものの、スクリュー型インプラントフィクスチャー１の多角形凸部１ｃに歯科インプラント埋入用治具２の多角形凹部Ａを係合させ、且つ、当該歯科インプラント埋入用治具２を回転させたとき、特に、たとえば図１３の（Ｃ）に示すように、当該歯科インプラント埋入用治具２の多角形凹部Ａの直線部αと、スクリュー型インプラントフィクスチャー１の多角形凸部１ｃの角部βとが線接触するものとなる。この場合、多角形凹部Ａの直線部αと多角形凸部１ｃの角部βとの当接部γにおける回転トルクによる応力は、当該当接部γの線状接触端部に集中する。そのため、当接部γには大きな応力が掛かって、当該当接部γに損傷・変形が生じる恐れは未だ払拭されないものとなっている。
したがって、歯科インプラント埋入用治具２を回転させたときの回転トルクによる応力が当接部γに集中し、スクリュー型インプラントフィクスチャー１の多角形凸部１ｃの角部βに損傷・変形が生じると、当該多角形凸部１ｃと歯科インプラント埋入用治具２の多角形凹部Ａとの係合が悪くなり、多角形凹部Ａが多角形凸部１ｃにおいて滑って空回りし、スクリュー型インプラントフィクスチャー１の植込み（取付け）や取外しが円滑に行われず、実質的には植込み（取付け）や取外しができない恐れがある。
つまり、この従来の歯科インプラント埋入用治具２では、歯科インプラント埋入用治具２を回転させたときの回転トルクがスクリュー型インプラントフィクスチャー１に安定した状態で確実に伝達されているものとはなっていない。
このような状況下において、一方では、上述した各従来技術に見受けられる問題点（技術的課題）を解決する歯科インプラント植込み用治具の開発が要望されている。すなわち、部品点数が少なく、簡単な取扱い操作で、歯科用ハンドピースおよび歯科インプラント間に装着され、歯が抜けた部分の歯槽骨に設けられた植込み用穴に歯科インプラントを植込む際には、当該歯科用ハンドピースの回転駆動力による植込みトルクを確実に歯科インプラントに伝達させることが可能となる歯科インプラントとの係合状態で歯科インプラントの植込み操作を安定した状態で確実に行うことができる、歯科インプラント植込み用治具が希求されている。
【００１０】
それゆえに、本願発明の主たる目的は、部品点数が少なく、簡単な取扱い操作で、ハンドピースおよびインプラント間に装着され、歯が抜けた部分の歯槽骨に設けられた植込み用穴にインプラントを植込む際には、当該ハンドピースの回転駆動力による植込みトルクを確実にインプラントに伝達させることが可能となるインプラントとの係合状態でインプラントの植込み操作を安定した状態で確実に行うことができる、インプラント植込み用治具を提供することである。
【課題を解決するための手段】
【００１１】
請求項１にかかる本願発明は、歯科用のハンドピースを用いて、歯が抜けた部分の歯槽骨に設けられた植込み用穴に、歯科用のインプラントを植込むためのインプラント植込み用治具であって、軸方向を有する治具本体と、治具本体の軸方向の一方側に配置され、その先端部がハンドピースの回動軸ヘッドの装着部に装着される装着軸部と、治具本体の軸方向のもう一方側に配置され、インプラントの被係合部に係合される係合部とを含み、係合部は、治具本体の軸方向の一端部から軸方向に所定の長さで延設された突出部と、突出部の外周面に設けられ、所定の多角形状の輪郭線に類似する多曲面で形成された輪郭を有する係合凸部とを含み、インプラントの被係合部は、係合凸部に対応する輪郭を備え、係合凸部とインプラントの被係合部とが係合されることを特徴とする、インプラント植込み用治具である。
請求項１にかかる本願発明では、治具本体の軸方向の一方側に配置された装着軸部がハンドピースの回動軸ヘッドに装着され、治具本体の軸方向のもう一方側に配置された係合部がインプラントの被係合部に係合される。この場合、係合部の突出部の外周面に設けられた係合凸部と、当該係合凸部に対応する輪郭を備えたインプラントの被係合部とが係合される。つまり、当該インプラント植込み用治具の係合凸部とインプラントの被係合部との係合箇所は、所定の多角形状の輪郭線に類似する多曲面による当接構造となっている。
したがって、当該インプラント植込み用治具の装着軸部をハンドピースの回動軸ヘッドの装着部に装着し、且つ、当該インプラント植込み用治具の係合凸部をインプラントの被係合部に係合し、ハンドピースの回転駆動力により、インプラントを植込み用穴に植込む際、インプラントへの植込みトルク伝達のための係合凸部と被係合部との当接部位が多いものとなり、しかも、当該当接部位は面接触となる。
そのため、請求項１にかかる本願発明では、インプラント植込み時における当該インプラント植込み用治具を介したインプラントへの伝達トルクによる応力が分散され、例えば、特許文献６に示す従来技術のように、伝達トルクによる応力が線状接触端部に集中するものではない。それゆえ、係合凸部と被係合部との当接部位に大きな応力が掛かって当該当接部位に損傷や変形が生じる恐れが払拭されるものとなり、インプラントへの植込みトルクの伝達が安定した状態で確実に行うことが可能となっている。
請求項２にかかる本願発明は、請求項１にかかる発明に従属する発明であって、係合凸部は、突出部の軸方向に沿って延び設けられ、且つ、突出部の周方向に所定の角度をもって略均等に設けられた３個以上の凸状曲面部と、３個以上の凸状曲面部間に設けられ、且つ、突出部の軸方向に沿って延び設けられる３個以上の凹状曲面部とを含み、隣接する凸状曲面部と凹状曲面部とは、突出部の軸方向と直交する切断面（横断面）で見て滑らかに連接された連続曲線となっていることを特徴とする、インプラント植込み用治具である。
請求項２にかかる本願発明では、突出部の周方向に所定の角度をもって略均等に設けられた３個以上の凸状曲面部と凹状曲面部とが、横断面でみて、滑らかに連接された連続曲線となる多曲面によって係合凸部の輪郭が形成されているため、当該凸状曲面部および凹状曲面部とインプラントの被係合部との当接部位は、微小な当接幅をもった接触面となる。この場合、当該凸状曲面部の数をたとえば６個，８個，１０個，１２個と多くすることによって、インプラントへの植込みトルク伝達のための係合凸部と被係合部との当接部位がより一層多いものとすることが可能となる。そのため、請求項２にかかる本願発明では、当該インプラント植込み用治具を用いることで、インプラント植込み時におけるインプラントへの伝達トルクによる応力がさらに分散され、インプラントへの植込みトルクの伝達がさらに安定した状態で確実に行うことが可能となる。
請求項３にかかる本願発明は、請求項１または請求項２にかかる発明に従属する発明であって、治具本体および突出部間に配置され、インプラントが植込まれる植込み用穴の外形よりも大きい径を有する規制部をさらに含み、規制部は、ハンドピースを用いてインプラントを植込み用穴に植込む際に、植込み用穴の深さよりも必要以上にインプラントが植込まれないように、突出部の軸方向の動きを規制することを特徴とする、インプラント植込み用治具である。
請求項３にかかる本願発明では、治具本体および突出部間に規制部が配置されているため、ハンドピースを用いてインプラントを植込み用穴に植込む場合、インプラントが植込み用穴の深さよりも必要以上に植込まれないように、当該規制部によって、突出部の軸方向の動きを規制することが可能となっている。すなわち、規制部は、インプラントの植込み作業に際して、インプラントの植込み深さが所定の深さ以上になることを阻止するためのストッパ機能を有するものである。ストッパ機能を有する規制部を当該インプラント植込み用治具に設ける理由は、インプラントを植込むための手術部位が施術時に出血が多く、そのため、施術者にとって、回転するインプラント植込み用治具の当該規制部とインプラントの被係合部との境界が視認し難い場合があるためである。
請求項４にかかる本願発明は、請求項３にかかる発明に従属する発明であって、規制部が着色されていることを特徴とする、インプラント植込み用治具である。
請求項４にかかる本願発明では、規制部が着色されているため、例えば、インプラントを植込むための手術部位が施術時に出血が少ない場合には、当該規制部のストッパ機能との協働作用により、回転するインプラント植込み用治具の当該規制部とインプラントの被係合部との境界部が視認し易いものとなる。また、規制部を血の色（赤系の色）と違う色に着色すれば、インプラントを植込むための手術部位の施術時における出血が多い場合でも、当該境界部を目視可能となる。
請求項５にかかる本願発明は、請求項１〜請求項４のいずれかに記載のインプラント植込み用治具に取付けられ、ハンドピースを用いて、歯が抜けた部分の歯槽骨に設けられた植込み用穴に植込まれるインプラントであって、軸方向を有するインプラント本体軸部と、インプラント本体軸部の軸方向の一端部に設けられ、治具本体の係合凸部と係合される被係合部とを含み、被係合部は、インプラント本体軸部の軸方向の一端部から軸方向に所定の長さで延設された筒状の延設部と、延設部の内周面に設けられ、所定の多角形状の輪郭線に類似する多曲面で形成された輪郭を有する係合凹部（環状溝）とを含み、係合凹部が治具本体の係合凸部と係合されることを特徴とする、インプラントである。
請求項５にかかる本願発明では、筒状の延設部の内周面に、請求項１〜請求項４のいずれかに記載のインプラント植込み用治具の係合部の係合凸部と係合される被係合部として、所定の多角形状の輪郭線に類似する多曲面で形成された輪郭を有する係合凹部（環状溝）が形成されている。すなわち、インプラント側の係合凹部の輪郭は、インプラント植込み用治具側の係合凸部の輪郭と対応する形状となっているので、当該係合凸部および係合凹部による係合箇所では、所定の多角形状の輪郭線に類似する多曲面による当接構造となっている。そのため、請求項５にかかる本願発明では、当該当接構造において、上述した請求項１にかかる発明と同様の作用・効果を奏するものとなる。したがって、係合凸部と被係合部との当接部位に作用する大きな応力によって当該当接部位に損傷や変形が生じる恐れが払拭されるものとなり、インプラント植込み時のトルク伝達を安定した状態で確実に行うことが可能となる。
【発明の効果】
【００１２】
本願発明によれば、部品点数が少なく、簡単な取扱い操作で、ハンドピースおよびインプラント間に装着され、歯が抜けた部分の歯槽骨に設けられた植込み用穴にインプラントを植込む際には、当該ハンドピースの回転駆動力による植込みトルクを確実にインプラントに伝達させることが可能となるインプラントとの係合状態でインプラントの植込み操作を安定した状態で確実に行うことができる、インプラント植込み用治具を提供することができる。
【００１３】
本願発明の上述の目的、その他の目的、特徴および利点は、図面を参照して行う以下の発明を実施するための最良の形態の説明から一層明らかとなろう。
【発明を実施するための最良の形態】
【００１４】
図１は、本願発明にかかる実施形態の一例を示す斜視図である。図２の（Ａ）は、図１に示すインプラント植込み用治具の正面図であり、図２の（Ｂ）はその平面図であり、図２の（Ｃ）はその底面図であり、図２の（Ｄ）はその左側面図であり、図２の（Ｅ）はその一部切り欠き正面図である。本実施形態例では、たとえば図６〜図１０に示す歯科用のハンドピース１００を用いて、歯が抜けた部分の歯槽骨Ｗに設けられた植込み用穴Ｈに、歯科用のインプラント３０を植込むためのインプラント植込み用治具１０について説明する。
【００１５】
インプラント植込み用治具１０は、図１および図２に示すように、軸方向を有する治具本体１２を含む。治具本体１２は、たとえば円錐台形に形成され、相対する両側面が対称的に傾斜している、所謂、テーパ面１３を有する。テーパ面１３は、治具本体１２の軸方向の下端部から上端部に行くに従って漸次径が小さくなるように形成されている。
治具本体１２は、その軸方向の一方側に装着軸部１４が配置され、その軸方向のもう一方側に、規制部１６を介して、係合部１８が配置されている。装着軸部１４は、その先端部に装着部１４ａを有する。当該装着部１４ａは、たとえば図６〜図９に示すハンドピース１００の回動軸ヘッド１００Ａのチャック部（図示せず）に装着される。係合部１８は、後述するインプラント３０の被係合部３６に係合される（例えば、図３，図４参照）。
【００１６】
規制部１６は、図２の（Ａ），（Ｄ）等に示すように、たとえば逆円錐台状に形成され、治具本体１２および係合部１８間に配置されている。また、規制部１６はテーパ面１７を有し、テーパ面１７は、前述のテーパ面１３とは反対に、軸方向の下端部から上端部に行くに従って漸次径が大きくなるように形成されている。規制部１６のテーパ面１７の最小径は、たとえば図３および図４に示すインプラント３０の被係合部３６の外径よりも大きい外径を有するものとなっている。つまり、規制部１６のテーパ面１７の周面上には、当該インプラント３０が植込まれる植込み用穴Ｈの外径よりも大きい径を有する周面が包含されるものとなっている。この場合、規制部１６のテーパ面１７の最小径は、少なくともインプラント３０の雄ねじ部３４の外径よりも大きい外径に形成されている。
【００１７】
係合部１８は、治具本体１２の軸方向の一端部から軸方向に所定の長さで延設された突出部２０を含む。突出部２０は、たとえば円筒状に形成され、当該突出部２０の貫通孔２１は、図２の（Ｅ）に示すように、突出部２０の軸方向の一端部から、治具本体１２の軸方向の中間部まで到達するものとなっている。
【００１８】
また、この突出部２０の外周面には、所定の多角形状の輪郭線に類似する多曲面で形成された輪郭を有する係合凸部２２が設けられる。係合凸部２２は、ｎ個の頂点とｎ個の辺を備えたｎ角形で、ｎ≧３を満足するような多角形状の輪郭線に類似する多曲面で形成された輪郭を有する。この場合、係合凸部２２は、突出部２０の軸方向に沿って延び設けられ、且つ、突出部２０の周方向に所定の角度をもって略均等に設けられた３個以上の凸状曲面部２４と、３個以上の凸状曲面部２４間に設けられ、且つ、突出部２０の軸方向に沿って延び設けられる３個以上の凹状曲面部２６とを含む。隣接する凸状曲面部２４と凹状曲面部２６とは、突出部２０の軸方向と直交する切断面（横断面）で見て、滑らかに連接された連続曲線に形成されている。
【００１９】
本実施形態例では、図１および図２の（Ｃ）等に示すように、例えば、係合凸部２２が８個の凸状曲面部２４と８個の凹状曲面部２６とを有し、突出部２０の軸方向と直交する切断面（横断面）で見て、全体的に８角形状の輪郭線に類似する輪郭線により形成された多曲面で構成されている。この場合、係合凸部２２の輪郭線は、突出部２０の軸方向に沿って延びる互いに４５度の角度をもって均等に配設された８個の凸状曲面部２４，２４，・・・，２４と、当該凸状曲面部２４，２４，・・・，２４間に配設され、突出部２０の軸方向に延びる凹状曲面部２６，２６，・・・，２６とが、その横断面において、滑らかに連接された連続曲線に形成されている。
【００２０】
なお、上述したインプラント植込み用治具１０の治具本体１２、装着軸部１４、規制部１６および係合部１８は、たとえばステンレス、チタン、チタン合金等の金属材料で形成される。また、後述するインプラント３０の被係合部３６と接触する先端部は、アセタール樹脂、オレフィン樹脂、フッ素樹脂等の弾性を有するポリマー樹脂で形成され得る。
【００２１】
次に、当該インプラント植込み用治具１０の係合部１８と係合されるインプラント３０について、図３および図４等を参照しながら、以下説明する。
インプラント３０は、軸方向を有するインプラント本体軸部３２を含む。インプラント本体軸部３２の側胴面には、ねじ込みによって植込み用穴Ｈ（例えば、図７，図８参照。）に進入するための雄ねじ部３４が配設されている。インプラント本体軸部３２の軸方向の上端部には、上述したインプラント植込み用治具１０の係合部１８と係合される被係合部３６が配設されている。被係合部３６は、上述した係合凸部２２に対応する形状の輪郭を有し、且つ、係合凸部２２の輪郭形状よりも少し小さく形成されている。また、被係合部３６の外径は、雄ねじ部３４の外径よりも僅かに大きく形成されている。
【００２２】
すなわち、被係合部３６は、インプラント本体軸部３２の軸方向の上端部から軸方向に所定の長さで延設されたたとえば円筒状の延設部３８を含む。延設部３８は、その内周面に、所定の多角形状の輪郭線に類似する多曲面で形成された輪郭を有する係合凹部４０を有する。係合凹部４０は、図４の（Ａ），（Ｂ）に示すように、平面視８角形状の輪郭線に類似する多曲面により形成された環状溝で構成されている。
【００２３】
この場合、係合凹部４０を構成する環状溝の輪郭線は、延設部３８の軸方向に沿って延びて互いに４５度の角度をもって均等に配設された８個の凸状曲面部４２，４２，・・・，４２と、当該凸状曲面部４２，４２，・・・，４２間に配設され、延設部３８の軸方向に延びる凹状曲面部４４，４４，・・・，４４とが、当該延設部３８の軸方向と直交する切断面（横断面）において滑らかに連接された連続曲線に形成されている。
なお、インプラント３０のインプラント本体軸部３２、延設部３８および係合凹部４０は、たとえばチタンおよびチタン合金で形成されている。
【００２４】
次に、本実施形態例にかかるインプラント植込み用治具１０およびハンドピースを用いて、歯が抜けた部分の歯槽骨に、たとえば上述したインプラント３０を植込むための作業の一例について、図１〜図４および図５〜図１０等を適宜参照しながら説明する。
先ず、歯が抜けた部分の歯槽骨Ｗに、インプラント３０を植込むための植込み用穴Ｈが設けられる。植込み用穴Ｈの穿孔作業は、たとえば図６および図７に示すように、ハンドピース１００の回動軸ヘッド１００Ａに装着された穿孔用ドリル５０によって行われる。この場合、植込み用穴Ｈは、所定の穿孔用ドリル５０により穿孔される。そのため、植込み用穴Ｈは、当該所定の穴径と深さを有するものとなる。
穿孔用ドリル５０は、たとえば図５に示すように、軸部本体５２を含む。軸部本体５２は、その軸方向の一端側にハンドピース１００の回動軸ヘッド１００Ａに装着される装着部５６ａを備えたシャンク部５６を有し、その軸方向の他端側に切削部５４を有するものである。
【００２５】
穿孔用ドリル５０による植込み用穴Ｈの穿孔作業が終了すると、ハンドピース１００の回動軸ヘッド１００Ａに装着された穿孔用ドリル５０が取り外され、穿孔用ドリル５０に換えて、当該回動軸ヘッド１００Ａに、図１〜図４に示すインプラント植込み用治具１０の軸方向の一方側の装着部１４ａが装着される。さらに、インプラント植込み用治具１０の軸方向の他方側の係合部１８には、インプラント３０の被係合部３６が係合される。［図３の（Ａ），（Ｂ），図８等参照。］
【００２６】
ハンドピース１００にインプラント植込み用治具１０を装着し、且つ、当該インプラント植込み用治具１０の係合部１８とインプラント３０の被係合部３６とを係合した後、たとえば図８および図９に示すように、ハンドピース１００の回転駆動力により、インプラント植込み用治具１０を回転させることによって、植込み用穴Ｈにインプラント３０の植込み作業が行われる。
【００２７】
インプラント植込み用治具１０は、規制部１６を有するため、植込み用穴Ｈの所定の深さよりも必要以上に、インプラント３０が植込まれないように、突出部２０の軸方向の動きを規制することができる。この場合、インプラント３０が植込み用穴Ｈ内を進入していくと、たとえば図９に示すように、規制部１６のテーパ面１７の部位は、植込み用穴Ｈの直径よりも大きい径を有しているので、歯槽骨Ｗの植込み用穴Ｈの上端縁部に引っ掛かって係止される。つまり、規制部１６は、インプラント３０の植込み深さが植込み用穴Ｈの所定の深さを超えて植込み用穴Ｈ内をさらに進入していくことを阻止するためのストッパ機能を有するものとなる。
したがって、本実施形態例にかかるインプラント植込み用治具１０を用いたインプラント治療では、インプラント３０を植込むための手術部位が施術時に出血が多く、施術者にとって、回転するインプラント植込み用治具１０の当該規制部１６とインプラント３０の被係合部３６との境界が視認し難い場合であっても、規制部１６のテーパ面１７の部位が植込み用穴Ｈの上端縁部に係止されることにより、当該規制部１６の植込み用穴Ｈへの進入が阻止される。
【００２８】
そして、インプラント３０が所定の植込み用穴Ｈに植込まれると、ハンドピース１００に装着されたインプラント植込み用治具１０は、当該ハンドピース１００と共に、上方に引き上げられる。この場合、歯槽骨Ｗの所定の位置の植込み用穴Ｈには、図１０に示すように、インプラント３０が取り付けられることとなる。
【００２９】
図１１の（Ａ）は、図１，図２，図３に示すインプラント植込み用治具と、図３，図４に示すインプラントとの嵌合状態の要部を示す平面図であり、図１１の（Ｂ）は、図１１の（Ａ）のＸ部拡大図である。また、図１２の（Ａ）は、図１１に示す嵌合状態から、インプラント植込み用治具に回転トルクが付与された状態の要部を示す平面図であり、図１２の（Ｂ）は、図１２の（Ａ）のＹ部拡大図である。
本実施形態例では、治具本体１２の軸方向の一方側に配置された装着軸部１４がハンドピース１００の回動軸ヘッド１００Ａに装着され、治具本体１２の軸方向のもう一方側に配置された係合部１８がインプラント３０の被係合部３６に挿入されると、図１１の（Ａ），（Ｂ）に示すように、突出部２０の外周面に設けられた係合凸部２２と、当該係合凸部２２に対応する輪郭を備えたインプラント３０の係合凹部４０とが係合される。つまり、本実施形態例では、８角形状の輪郭線に類似する多曲面で形成された輪郭を有する係合凸部２２と係合凹部４０とが係合される。
【００３０】
そして、ハンドピース１００の回転駆動力により、インプラント３０に植込みトルクが付与されると、図１２の（Ａ），（Ｂ）に示すように、係合凸部２２と係合凹部４０との当接部位Ｓが多いものとなり、当該当接部位Ｓは面接触となる。この場合、係合凸部２２と係合凹部４０との当接部位Ｓは、微小な当接幅をもった接触面となっている。
したがって、本実施形態例では、インプラント３０の植込み時における当該インプラント３０への伝達トルク（植込みトルク）による応力が分散され、たとえば図１３に示す従来技術のように、伝達トルクによる応力が当接部γの線状接触端部に集中するものではない。それゆえ、係合凸部２２と係合凹部４０との当接部位Ｓに大きな応力が掛かって当該当接部位Ｓに損傷や変形が生じる恐れがない。したがって、本実施形態例では、インプラント３０への植込みトルクの伝達が安定した状態で確実に行うことができる。
【００３１】
上述した実施形態例では、たとえば図１〜図４に示すように、８角形状の輪郭線に類似する多曲面で形成された輪郭を有する係合凸部２２と係合凹部４０とが係合される構成を有するものであったが、それに限定されるものではなく、たとえば図１４の（Ａ），（Ｂ）に示すように、係合凸部２２および係合凹部４０は、それぞれ、６角形状の輪郭線に類似する多曲面で形成された輪郭を有するものであってもよい。係合凸部２２および係合凹部４０は、６角形状の輪郭線に類似する多曲面で形成された輪郭を有するものに限定されるのではなく、それ以外にも、３角形，４角形，５角形，１２角形等の他の多角形状の輪郭線に類似する多曲面で形成された輪郭を有するものであってもよい。
【００３２】
なお、図１４の（Ａ）に示す係合凸部２２および係合凹部４０と、図１４の（Ｂ）に示すそれとでは、当該係合凸部２２および係合凹部４０の輪郭を構成する、凸状曲面部、凹状曲面部、凸状曲面部および凹状曲面部を連接する滑らかな連続曲面の曲率が相違するものとなっている。この場合、図１４の（Ａ）に示す係合凸部２２の凸状曲面部２４および係合凹部４０の凸状曲面部４２は、図１４の（Ｂ）に示すそれよりも曲率が小さく形成され、また、図１４の（Ａ）に示す係合凸部２２の凹状曲面部２６および係合凹部４０の凹状曲面部４４は、図１４の（Ｂ）に示すそれよりも曲率が大きく形成され、また、図１４の（Ａ）に示す係合凸部２２および係合凹部４０の連続曲面は、図１４の（Ｂ）に示すそれよりも曲率が大きく形成されている。
【００３３】
また、上述した実施形態例では、たとえば図１〜図３に示すように、インプラント植込み治具１０の規制部１６がテーパ面１７を有するものであったが、それに限定されるものではなく、たとえば図１５に示すように、規制部１６は、歯槽骨Ｗに穿孔される植込み用穴Ｈの直径よりも大きい直径を有するのであれば、テーパ面１７に形成されていない円環状のものでもよい。
さらに、上述した実施形態例では、たとえば図１〜図３に示すように、インプラント植込み治具１０の治具本体１２がテーパ面１３を有していたが、それに限定されるものではなく、たとえば図１６に示すように、治具本体１２は、テーパ面に形成されていない円筒状ないし円柱状のものであってもよい。それ以外にも、多角筒状ないし多角柱状に形成されてもよい。
【００３４】
さらに、上述した実施形態例にかかる規制部１６には、たとえば図１７に示すように、当該規制部１６に着色が施されてなる着色部４６が形成されてもよい。この場合、規制部１６が着色されているため、例えば、インプラント３０を植込むための手術部位が施術時に出血が少ない場合には、当該規制部１６のストッパ機能との協働作用により、回転するインプラント植込み用治具１０において、たとえば図１８に示すように、当該規制部１６とインプラント３０の被係合部３６との境界部が視認し易いものとなる。また、着色部４６に、血の色（赤系の色）と違う色の着色を施せば、インプラント３０を植込むための手術部位の施術時における出血が多い場合でも、当該境界部を比較的明瞭に視認することができる。そのため、インプラント３０を植込み用穴Ｈに正確に効率よく取り付けることができる。
【図面の簡単な説明】
【００３５】
【図１】本願発明にかかる実施形態の一例を示す斜視図である。
【図２】図２の（Ａ）は、図１に示すインプラント植込み用治具の正面図であり、図２の（Ｂ）は、その平面図であり、図２の（Ｃ）は、その底面図であり、図２の（Ｄ）は、その左側面図であり、図２の（Ｅ）は、その一部切り欠き正面図である。
【図３】図３の（Ａ）は、図１に示すインプラント植込み用治具をインプラントに嵌合させた状態を示す正面図であり、図３の（Ｂ）は、その分解図である。
【図４】図４の（Ａ）は、図３に示すインプラントの斜視図であり、図４の（Ｂ）は、その平面図であり、図４の（Ｃ）は、その正面図である。
【図５】歯科インプラント治療で歯槽骨にインプラント植込み用穴を開けるときに用いられる穿孔用ドリルの一例を示す正面図である。
【図６】図５に示す穿孔用ドリルを用いて歯槽骨にインプラント植込み用穴を開ける穿孔工程の一例を示す図解図である。
【図７】図６に示す穿孔工程によって、歯槽骨にインプラント植込み用穴が設けられた状態を示す図解図である。
【図８】インプラント植込み用穴にインプラントを植込む、植込み工程の途中を示す図解図である。
【図９】インプラントの植込み工程が終了した状態を示す図解図である。
【図１０】図８，図９に示す植込み工程よって、歯槽骨にインプラントが植込まれた状態を示す図解図である。
【図１１】図１１の（Ａ）は、図１，図２，図３に示すインプラント植込み用治具と、図３，図４に示すインプラントとの嵌合状態の要部を示す平面図であり、図１１の（Ｂ）は、図１１の（Ａ）のＸ部拡大図である。
【図１２】図１２の（Ａ）は、図１１に示す嵌合状態から、インプラント植込み用治具に回転トルクが付与された状態の要部を示す平面図であり、図１２の（Ｂ）は、図１２の（Ａ）のＹ部拡大図である。
【図１３】図１３の（Ａ）は、従来技術（例えば、特許文献６の図１，図２，図４参照）に示すインプラント埋入用治具と、スクリュー型インプラントフィクスチャーとの嵌合状態の要部を示す平面図であり、図１３の（Ｂ）は、図１３の（Ａ）に示す状態から歯科インプラント埋入用治具に回転トルクが付与された状態の要部を示す平面図解図であり、図１３の（Ｃ）は、図１３の（Ｂ）のＺ部拡大図である。
【図１４】図１４の（Ａ）は、本願発明にかかる実施形態の他の例を示す要部平面図であり、図１４の（Ｂ）は、本願発明にかかる実施形態のさらに他の例を示す要部平面図である。
【図１５】図１，図２，図３に示すインプラント植込み用治具の変形例の一例を示す正面図である。
【図１６】図１，図２，図３に示すインプラント植込み用治具の変形例の他の例を示す正面図である。
【図１７】本願発明にかかる実施形態の別の例を示す正面図である。
【図１８】図１７に示したインプラント植込み用治具を用いて歯槽骨にインプラントを植込む、植込み工程が終了した状態を示す図解図である。
【符号の説明】
【００３６】
１０  インプラント植込み用治具
１２  治具本体
１３  治具本体のテーパ面
１４  装着軸部
１４ａ  装着部
１６  規制部
１７  規制部のテーパ面
１８  係合部
２０  突出部
２２  係合凸部
２４  係合凸部の凸状曲面部
２６  係合凸部の凹状曲面部
３０  インプラント
３２  インプラント本体軸部
３４  雄ねじ部
３６  被係合部
３８  延設部
４０  係合凹部
４２  係合凹部の凸状曲面部
４４  係合凹部の凹状曲面部
４６  着色部
５０  穿孔ドリル
５２  軸部本体
５４  切削部
５６  シャンク部
５６ａ  装着部
１００  ハンドピース
１００Ａ  回動軸ヘッド
Ｗ  歯槽骨
Ｈ  植込み用穴
Ｓ  当接部位
【図１】
2010051708.tif 000003
【図２】
2010051708.tif 000004
【図３】
2010051708.tif 000005
【図４】
2010051708.tif 000006
【図５】
2010051708.tif 000007
【図６】
2010051708.tif 000008
【図７】
2010051708.tif 000009
【図８】
2010051708.tif 000010
【図９】
2010051708.tif 000011
【図１０】
2010051708.tif 000012
【図１１】
2010051708.tif 000013
【図１２】
2010051708.tif 000014
【図１３】
2010051708.tif 000015
【図１４】
2010051708.tif 000016
【図１５】
2010051708.tif 000017
【図１６】
2010051708.tif 000018
【図１７】
2010051708.tif 000019
【図１８】
2010051708.tif 000020